(57)【要約】      （修正有）【課題】シンプルな構造でペットに遊びと運動を兼ねさせることができるペット飼料ボールを提供する。【解決手段】空洞の球体１及びスライド蓋２で構成されたペット飼料ボールであり、該空洞の球体の表面に少なくとも一つの穴１０を設け、球体内部に棒１３を設け、該棒に螺旋状の梯子部１３１を設ける。飼料を球体にある穴より投入すると、球体内の螺旋状の梯子部に沿って転がり、該スライド蓋１２は可動的に前記球体１に掛合し、該スライド蓋にも穴を一つ設けることで、スライド蓋をある角度に回転すると、球体にある穴を塞ぎ、また別のある角度に回転すると、スライド蓋の穴を球体の穴に対応させる。【選択図】図１
0003154165.tif 000002
【実用新案登録請求の範囲】
【請求項１】
空洞の球体、スライド蓋を含み、
空洞の球体に少なくとも一つの穴を設け、該球体内部に棒を設け、該棒に螺旋状の梯子部を設け、飼料を球体にある穴より投入した後、球体内の螺旋状梯子部に沿って転がり、及び、
スライド蓋は可動的に上記球体に掛合し、該スライド蓋にも一つの穴を設け、該スライド蓋をある角度に回転すると、球体の穴を塞ぐことができ、別のある角度に回転すると、スライド蓋の穴が球体にある穴と対応することを特徴とするペット飼料ボールの構造。
【請求項２】
前記球体は上球体部及び下球体部を含み、該上下球体部を相対的に掛合して固定することができ、該棒の両端はそれぞれ上下球体に固定することを特徴とする請求項１記載のペット飼料ボールの構造。
【請求項３】
前記空洞の球体に大小各一つの穴を設け、且つスライド蓋を回転することで、一つの穴を塞ぐことができることを特徴とする請求項１記載のペット飼料ボールの構造。
【請求項４】
前記球体表面に凹陥部を設け、該スライド蓋を該凹陥部にかぶせて結合すると、可動的に回転することができ、該穴は該凹陥部に設置することを特徴とする請求項１或いは請求項３記載のペット飼料ボールの構造。
【考案の詳細な説明】
【技術分野】
【０００１】
本考案は飼料やお菓子を中に投入できるペット飼料ボールに関し、特に、転がすと食べ物が球体の外に出されることでペットを引き付けるシンプルな構造で、且つ遊びと運動を兼ね備えたペット飼料ボールの構造に関する。
【背景技術】
【０００２】
一般的にペットを飼うのはリラックスの一環と見なされ、生活の楽しみを増やすことができる。アメリカペットフード協会と台湾の大学統計学科が「台湾のペットヘルスシティ」についてアンケートをとったところ、現代の忙しい生活スタイルで、飼い主の３割が平均毎日５時間以上ペットと遊んでいる。その際、最もペットを引き付けるのはボール類である。
【０００３】
現在のペット用ボールは音を発する機能を備えることで、ペットの注意を引く。しかし、全てのペットがボールを好きではないため、食べ物を中に入れられるよう、ボールに穴を設けた商品を開発した業者がいる。食べ物を中に入れることで、ペットを更に引きつけて、追いかけさせるなど、運動量を増やすと共にトレーニングを行なう。また、飼い主はペットボールを開けると、直ちに食べ物を取り出して食べさせる、或いはご褒美とすることができる。
【０００４】
しかし、ペットボールは食べ物の誘因を併せ持つが、ペット達が何度か模索しても、球体より自ら食べ物を取り出せないことを発見すると、次第に好奇心と遊ぶ楽しさを無くし、ボールを追いかける、或いは、遊び運動をしなくなるため、更なる改善が必要であった。
【先行技術文献】
【特許文献】
【０００５】
【特許文献１】特開２００2−１１９１６６公報
【考案の概要】
【考案が解決しようとする課題】
【０００６】
前記従来技術の欠点を解決するため、本考案はシンプルな構造のほか、遊びと運動を兼ねたペット飼料ボールを提供することを主な課題とする。
【課題を解決するための手段】
【０００７】
上述の目的を解決するために、請求項１の考案は、ペット飼料ボールを提供するものであり、 空洞の球体及びスライド蓋を含み、空洞球体の表面に少なくとも一つの穴を設け、球体内に棒を設け、該棒に螺旋状の梯子部分を設けることで、飼料を球体にある穴から投入後、球体内の螺旋状梯子部に沿って転がる。該スライド蓋は可動的に前記球体に掛合し、同じく一つの穴を設けることで、スライド蓋をある角度に回転すると球体の穴をふさぎ、別のある角度に回転すると、球体の穴と対応することを特徴とする。
【０００８】
請求項２の考案は、請求項１記載のペット飼料ボールの構造において、  前記球体は上球体部及び下球体部を含み、該上下球体部を相対的に掛合して固定することができ、該棒の両端はそれぞれ上下球体に固定することを特徴とする。
【０００９】
請求項３の考案は、請求項１記載のペット飼料ボールの構造において、前記空洞の球体に大小各一つの穴を設け、且つスライド蓋を回転することで、一つの穴を塞ぐことができることを特徴とする。
【００１０】
請求項４の考案は、請求項１記載のペット飼料ボールの構造において、前記球体表面に凹陥部を設け、該スライド蓋を該凹陥部にかぶせて結合すると、可動的に回転することができ、該穴は該凹陥部に設置することを特徴とする。
【考案の効果】
【００１１】
本考案のペット飼料ボールによれば、球体及びスライド蓋に穴を設け、球体内部に棒及び螺旋状の梯子部を設けることにより、球体の穴より飼料を投入すると、球体内にある螺旋状の梯子部に沿って転がり、球体とスライド蓋がある角度に回転すると、飼料が球体から外側に転がり出ることができる。
【図面の簡単な説明】
【００１２】
【図１】本考案におけるペット飼料ボールの立体外観図である。
【図２】本考案スライド蓋の穴と大穴とが対応した状態略図である。
【図３】本考案のスライド蓋の穴と球体の小穴とが対応する状態略図である。
【図４】本考案のスライド蓋の穴と大穴が一致し、大穴より飼料を球体に投入する状態の略図である。
【図５】本考案のスライド蓋の穴と小穴とが対応する際の立体外観図である。
【図６】本考案の実施例の球体回転後、スライド蓋の穴と小穴が対応し、飼料が球体から転がり出る状態の略図である。
【考案を実施するための形態】
【００１３】
本考案によるペット飼料ボールの構造を明確に示すために図や記号などに沿って詳細な説明を行う。
【００１４】
図１〜図６に示すのは、本考案のペット飼料ボールの実施例であり、空洞の球体１及びスライド蓋２を含むものである。
【００１５】
該空洞球体１は上球体部１１と下球体部１２を含み、該上下球体部１１、１２を相対的に回動自在に噛み合いさせ掛合して固定する。該空洞球体１に少なくとも一つの穴１０を設け、本実施例では大穴１０１及び小穴１０２を設ける。該球体１内に棒１３を設け、該棒１３の両端はそれぞれ上下球体１１、１２に固定する。該棒１３に螺旋状の梯子部１３１を設けることで、飼料３を球体１にある穴１０より投入した後、球体１内部の螺旋状梯子部１３１に沿って飼料が転がる。
【００１６】
また、該球体１の表面に凹陥部１４を設けることで、該スライド蓋２を該凹陥部１４にかぶせて結合した後でも可動的に回転でき、該大小穴１０１、１０２は該凹陥部１４に設ける。該スライド蓋２にも一つの穴２１を設けるため、該スライド蓋２をある角度に回転すると、球体１にある大穴１０１或いは小穴１０２を塞ぐことができ、また違うある角度に回転すると、該スライド蓋２にある穴２１は球体にある大穴１０１或いは小穴１０２と対応する。ここで、図示するように、スライド蓋２の穴２１は、少なくとも、大穴１０１よりも大きくしてある。
【００１７】
使用に際しては、図３〜図６に示すように、ユーザーは飼料３或いはお菓子のサイズにより、スライド蓋２を回転して大穴１０１或いは小穴１０２を塞ぐ。比較的大きい飼料３或いはお菓子であれば、小穴１０２を塞ぐと、飼料３やお菓子が球体１から脱落しやすい状況となる。比較的小さい飼料３或いはお菓子であれば、大穴１０１を塞ぐと、大量の飼料３或いはお菓子が球体１から脱落する。よって、飼料３或いはお菓子を球体１に投入した後、ペットが球体１を転がしたり、跳ねさせたりすると、球体１内にある飼料３或いはお菓子が跳躍し、球体１内にある棒１３の梯子部１３１で転がるため、音が発生し、ペットの興味を引き付ける。同時に球体１をある角度に回転すると、飼料３或いはお菓子が球体１より出てくるため、ペットが遊びながら飼料３、或いはお菓子を食べることができるため、遊び或いは運動の時間を延長することができる。
【００１８】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１９】
１    球体
１０     穴
１０１  大穴
１０２  小穴
１１    上球体部
１２     下球体部
１３     棒
１３１  梯子部
１４     凹陥部
２    スライド蓋
２１    スライド蓋の穴
３      飼料
【図１】
0003154165.tif 000003
【図２】
0003154165.tif 000004
【図３】
0003154165.tif 000005
【図４】
0003154165.tif 000006
【図５】
0003154165.tif 000007
【図６】
0003154165.tif 000008